(57)【要約】【課題】比較的小さな力で容易にロック解除を行うことができるロック解除装置及びこれを備える折畳み式テントを提供することである。【解決手段】ロック解除装置１００は、スライドジョイント５に設けられたロック機構マウント部１０と、ロック機構マウント部１０に設けられロック孔１ａに突入するロック位置とロック孔１ａから抜け出るロック解除位置をとり得るロックピン２０と、ロックピン２０を柱材側へ付勢する弾性部材３０と、ロックピン２０に回動可能に設けられる操作レバー４０とを備える。操作レバー４０には、一方側に支点部４２が形成され、他方側に操作部４３が形成され、支点部４２と操作部４３の間で支点部４２に近づけた位置にロックピン２０を枢着する枢着部４４が形成され、支点部４２から枢着部４４までの距離は操作部４３から枢着部４４までの距離よりも短く、枢着部４４は操作部４３に加わる力と同じ方向に作用する。【選択図】図４
0003233289.tif 000002
【実用新案登録請求の範囲】
【請求項１】
柱材に游挿されるスライドジョイントに設けられたロック機構マウント部と、
該ロック機構マウント部に設けられ前記柱材のロック孔に突入するロック位置と前記ロック孔から抜け出るロック解除位置をとり得るロックピンと、
該ロックピンを前記柱材側へ付勢する弾性部材と、
前記ロックピンに回動可能に設けられる操作レバーとを備えており、
前記操作レバーは、一方側に支点部が形成され、他方側に操作部が形成されており、前記支点部と前記操作部の間で前記支点部に近づけた位置に前記ロックピンを枢着する枢着部が形成され、前記支点部から前記枢着部までの距離は前記操作部から前記枢着部までの距離よりも短く、前記枢着部は前記操作部に加わる力と同じ方向に作用することを特徴とするロック解除装置。
【請求項２】
前記ロック位置のときの前記操作レバーの角度を０度とすると、前記操作レバーの回動角度は、前記ロック解除位置のとき、４５度以上６０度以下の範囲内にあることを特徴とする請求項１記載のロック解除装置。
【請求項３】
前記操作レバーは、少なくとも前記枢着部の両側から互いに突出する側壁部を備え、該側壁部は、前記ロック位置のとき、前記ロック機構マウント部を外嵌することを特徴とする請求項１又は２に記載のロック解除装置。
【請求項４】
前記ロック機構マウント部と前記操作レバーとの間に介装され前記操作部を前記柱材側へ付勢する弾性体を備えていることを特徴とする請求項１〜３の何れかに記載のロック解除装置。
【請求項５】
請求項１〜４の何れかに記載のロック解除装置を備えていることを特徴とする折畳み式テント。
【考案の詳細な説明】
【技術分野】
【０００１】
本考案は、棒材の所定位置で解除可能に移動がロックされるスライドジョイントのロック解除装置及びこれを備える折畳み式テントに関する。
【背景技術】
【０００２】
従来、折畳み式テントのロック解除装置が開示されている。これは、柱材に游挿されたスライドジョイントの鞘管の下方にリング付きの係止ピンが付設された構成である。この係止ピンは、弾性部材により内方に付勢されており、柱材のピン孔に挿入されるとスライドジョイントの移動が停止する。そして、リングに力を加えて係止ピンが引き抜かれるとスライドジョイントが移動可能になる。この係止ピンの引き抜き動作を行うことで、ロック解除が行われ、折畳み式テントの折り畳み動作が行われていた（特許文献１参照）。
【先行技術文献】
【特許文献】
【０００３】
【特許文献１】特許第４１９５１６８号公報
【０００４】
しかしながら、リング付きの係止ピンは内方に付勢されているので、利用者が、係止ピンを引き抜く際に、リングにかなりの力を加えて引き抜かなければならなかった。例えば、一方の手を柱材に添えながら、他方の手でリングを把持して係止ピンを引き抜く動作が必要となり、容易に片手では行い得なかった。
【考案の概要】
【考案が解決しようとする課題】
【０００５】
そこで、本考案の目的は、比較的小さな力で容易にロック解除を行うことができるロック解除装置及びこれを備える折畳み式テントを提供することである。
【課題を解決するための手段】
【０００６】
本考案の一態様に係るロック解除装置は、柱材に游挿されるスライドジョイントに設けられたロック機構マウント部と、該ロック機構マウント部に設けられ前記柱材のロック孔に突入するロック位置と前記ロック孔から抜け出るロック解除位置をとり得るロックピンと、該ロックピンを前記柱材側へ付勢する弾性部材と、前記ロックピンに回動可能に設けられる操作レバーとを備えており、前記操作レバーは、一方側に支点部が形成され、他方側に操作部が形成されており、前記支点部と前記操作部の間で前記支点部に近づけた位置に前記ロックピンを枢着する枢着部が形成され、前記支点部から前記枢着部までの距離は前記操作部から前記枢着部までの距離よりも短く、前記枢着部は前記操作部に加わる力と同じ方向に作用する構成である。
【０００７】
また、本考案の一態様に係るロック解除装置は、前記ロック位置のときの前記操作レバーの角度を０度とすると、前記操作レバーの回動角度は、前記ロック解除位置のとき、４５度以上６０度以下の範囲内にある構成であってもよい。
【０００８】
さらに、本考案の一態様に係るロック解除装置は、前記操作レバーは、少なくとも前記枢着部の両側から互いに突出する側壁部を備え、該側壁部は、前記ロック位置のとき、前記ロック機構マウント部を外嵌する構成であってもよい。
【０００９】
さらにまた、本考案の一態様に係るロック解除装置は、前記ロック機構マウント部と前記操作レバーとの間に介装され前記操作部を前記柱材側へ付勢する弾性体を備えている構成であってもよい。
【００１０】
本考案の他の態様に係る折畳み式テントは、上記ロック解除装置の何れかを備えている構成である。
【考案の効果】
【００１１】
本考案の一態様に係るロック解除装置によれば、比較的小さな力で容易にロック解除を行うことができるという効果を奏する。
【図面の簡単な説明】
【００１２】
【図１】本考案の一実施形態のロック解除装置を使用した折畳み式テントの一部破断外観斜視図である。
【図２】ロック解除装置を示す拡大正面図である。
【図３】ロック解除装置を示す拡大側面図である。
【図４】図２のＡ−Ａ線における断面図である。
【図５】ロック解除位置におけるロック解除装置を示す断面図である。
【考案を実施するための形態】
【００１３】
以下、本考案を実施するための形態について、図１〜５を参照しつつ、詳細に説明する。なお、本考案は以下の実施形態に何ら限定されない。
【００１４】
図１は、本考案の一実施形態のロック解除装置１００を使用した折畳み式テント２００の一部破断外観斜視図である。折畳み式テント２００は、４本の柱材１と、梁材２と、幕材３と、４つの端部ジョイント４と、４つのスライドジョイント５とを備えている。
【００１５】
柱材１は、横断面略六角管状であり、敷地の四隅にそれぞれ立設されている。柱材１の下端にベースプレート９が設けられ、接地している。柱材１にはスライドジョイント５を所定位置で固定するためのロック孔１ａが形成されている（図４，５参照）。
【００１６】
梁材２は、外梁２ａ，２ｂと、内梁とを備え、柱材１同士を連結する。外梁２ａ，２ｂと内梁は、枢支された２本の棒材６，７で構成されるクロス構造体が複数組連設された構成である。図１では、長辺を構成する外梁２ａと短辺を構成する外梁２ｂとでクロス構造体の組数が異なる。クロス構造体の連設点にヒンジ結合の関節部８が設けられ、関節部８でクロス構造体相互が連結されている。
【００１７】
外梁２ａ，２ｂは、柱材１と柱材１との間に配設され、クロス構造体の各端部のうち、上側に位置する棒材６が端部ジョイント４に枢着され、下側に位置する棒材７がスライドジョイント５に枢着されている。
【００１８】
内梁は、対向する２つの長辺を構成する外梁２ａの間に一対で配設されている。また、一対の内梁のクロス構造体の各連設点にそれぞれトップポールが上下動自在に設けられている。
【００１９】
幕材３は、柱材１で支持されており、２本のトップポールと梁材２と端部ジョイント４とスライドジョイント５を覆って屋根を構成する。なお、幕材３は、慣用の方法、例えば、紐による締結、バックル、ワンタッチ式締結又は連結具を利用して、梁材２に容易に取り付けることができる。
【００２０】
端部ジョイント４は、柱材１の頂部に取外し可能に取着されている。端部ジョイント４には、梁材２の上側に位置する棒材６を枢着するためのブラケットが２方向に互いに９０度角度をずらして形成されている。
【００２１】
図２は、ロック解除装置１００を示す拡大正面図である。スライドジョイント５は、柱材１に上下スライド自在に游挿され、柱材１に沿って相対移動自在とされている。また、スライドジョイント５には、梁材２の下側に位置する棒材７を枢着するための梁支持材５ａ，５ｂが２方向に互いに９０度角度をずらして形成されている。
【００２２】
図３は、ロック解除装置１００を示す拡大側面図である。図４は、図２のＡ−Ａ線における断面図である。ロック解除装置１００は、図４に示すように、ロック機構マウント部１０と、ロックピン２０と、弾性部材３０と、操作レバー４０とを備えている。
【００２３】
ロック機構マウント部１０は、スライドジョイント５の下部に一体的に設けられている。ロック機構マウント部１０は、ロックマウント部１１と、ロック機構部１２とを備える。
【００２４】
ロックマウント部１１は、スライドジョイント５の外側面に一体に形成されており、ロック機構部１２を収納する開口部を有する。開口部に収納されたロック機構部１２は、ロックマウント部１１の外側から固定ビス１３にて固定される（図３参照）。
【００２５】
ロック機構部１２は、ロックピン移動孔と、ロックピン回転防止構造と、レバー回動量設定部１５とを有する。ロックピン移動孔は、操作レバー４０が設けられる表面からスライドジョイント５の対応孔５ｃに向かってロック機構部１２に水平方向に形成された孔である。
【００２６】
ロックピン回転防止構造は、ロックピン移動孔より縦断面積が狭く形成されている。例えば、ロックピン回転防止構造は、ロックピン移動孔の一部に内部へ突出する平面部と、この平面部と対応するロックピン２０の一部とで構成される。
【００２７】
レバー回動量設定部１５は、ロックピン移動孔より縦断面積が広く形成されている。レバー回動量設定部１５は、弾性部材３０を収納する有底開口部を有し、弾性部材３０に応じた長尺長さに形成されている。レバー回動量設定部１５は、ロックピン移動孔と同心である。
【００２８】
ロックピン２０は、ロック孔１ａと対応孔５ｃが一致する柱材１の位置でスライドジョイント５を固定するために用いられる。ロックピン２０は、操作レバー４０の回動操作により、ロック孔１ａに突入したロック位置と、ロック孔１ａから抜け出したロック解除位置とに変位可能である。いずれの位置でも、ロックピン２０は、ロック機構マウント部１０から表面側に突出する凸部を有する。
【００２９】
ロックピン２０にはフランジ部２１が一体に設けられている。フランジ部２１は、ロックピン２０のロック位置とロック解除位置の変位に伴って、弾性部材３０によって作用されたり、弾性部材３０に作用したりする。
【００３０】
また、ロックピン２０には、外周の一部分に平面部が設けられており、ロックピン２０の平面部がロック機構部１２のロックピン回転防止構造の平面部に当たることでロックピン自体の回転が防止されている。
【００３１】
弾性部材３０は、例えば圧縮コイルばねであり、レバー回動量設定部１５でロック機構部１２とフランジ部２１との間に圧縮可能に収納されている。弾性部材３０は、ロックピン２０を柱材側へ付勢する。
【００３２】
操作レバー４０は、基部４１と、支点部４２と、操作部４３と、枢着部４４と、側壁部４５とを備えている。操作レバー４０は、一体の樹脂から形成され、枢着部４４でロックピン２０に回動自在に連結されている。
【００３３】
基部４１は、正面視縦長矩形状で、正面視表面の中央が左右より肉厚の平面視円弧状のなだらかな曲面を有する蒲鉾状に形成されている。裏面において、上から支点部４２，枢着部４４の順で形成され、その下方に操作部４３が形成されている。
【００３４】
支点部４２と操作部４３の間で、支点部４２に近づけた位置に、枢着部４４が設けられている。支点部４２から枢着部４４までの距離は、操作部４３から枢着部４４までの距離よりも短い。支点部４２と枢着部４４は、操作部４３より肉厚であり、略同じ肉厚に形成されている。
【００３５】
支点部４２は、操作レバー４０の回動中心である。支点部４２から基部４１の上端までに側面視略円弧状の曲面が形成され、その両側には、側壁部４５が延設され、その曲面と相似形状とされている。
【００３６】
操作部４３は、背面視横長矩形状であり、枢着部４４より肉薄である。操作部４３は、ロック機構マウント部１０と対向する基部４１の背面に形成されており、ロック機構マウント部１０より下方にはみ出しており、スライドジョイント５と柱材１とも対向する、なお、操作部４３には滑り止め用の突起部が形成されている。
【００３７】
枢着部４４は、ロック機構マウント部１０から突出するロックピン２０の凸部に枢着可能な開口を有する凹部と、この凹部で水平方向に貫通する貫通孔を有し、貫通孔に挿通される金属製の枢支ピン４８とを備える。ロックピン２０の凸部と枢着部４４の凹部とが枢支ピン４８によって枢着され、操作レバー４０が回動可能となっている。
【００３８】
操作レバー４０の回動は、原理的には、枢着部４４が操作部４３に加えられる力と同じ方向に移動可能であり、ロックピン２０のロック解除位置を超えてさらに移動可能である。しかし、本実施形態では、ロックピン２０は、レバー回動量設定部１５によってロック位置からロック解除位置までの変位に制限され、ロック解除位置を超えての移動はできないようにされている。このロック解除位置のときの操作レバー４０の回動角度は、ロック位置の操作レバー４０を０度とするとき４５度以上６０度以下の範囲内に設定されている。
【００３９】
また、操作レバー４０とロック機構マウント部１０との間に弾性体４９が設けられている。好ましくは、弾性体４９としてトーションばねが挙げられ、弾性体４９は枢着部４４の支点部４２側に介装される。弾性体４９に枢支ピン４８が挿入され、一方端が操作レバー４０に配置され、他方端がロック機構マウント部１０に配置される。図４に示す弾性体４９は操作部４３を柱材側へ付勢する。弾性体４９の付勢力は、弾性部材３０の付勢力より弱い。
【００４０】
側壁部４５は、少なくとも枢着部４４において、基部４１の背面の左右両側から互いに突出する横断面視略凹状に形成されている。側壁部４５の高さは、支点部４２や枢着部４４より高く形成され、ロック位置でロック機構マウント部１０を外嵌する。図４に示す側壁部４５は、支点部４２から操作部４３までの範囲の両側に形成されている。なお、ロックピン２０がロック位置のとき、側壁部４５と支点部４２と枢着部４４とがロック機構マウント部１０に当接する形状や構造等の構成としてもよい。
【００４１】
図４に示すスライドジョイント５は、対応孔５ｃがロック孔１ａと一致する位置でロックされている。この状態では、各柱材１は最も離隔しており、テント組立状態となり、折畳み式テント２００が使用される(図１参照)。
【００４２】
次に、操作部４３に指をかけ、弾性部材３０の付勢力に抗して力を加えると、操作レバー４０が支点部４２を支点として時計方向に回動する。これに伴って枢着部４４で枢着されたロックピン２０が、操作部４３に加えられた力と同じ方向へと移動し、ロック孔１ａから抜け出したロック解除位置へと変位する。この状態でスライドジョイント５と柱材１とが相対移動可能となる。
【００４３】
図５は、ロック解除位置におけるロック解除装置１００を示す断面図である。このとき、ロック機構マウント部１０内では、図５に示すように、ロックピン２０が、破線矢印Ｍ方向に移動したフランジ部２１によって弾性部材３０が圧縮され、ロック解除位置となっている。ここで、ロックピン２０は破線矢印Ｍ方向にこれ以上移動できず、操作レバー４０は破線矢印Ｆ方向への回動が規制される。
【００４４】
このときの操作レバー４０の回動角度は、ロック位置の操作レバー４０の角度を０度とするとき４５度以上６０度以下の範囲内にあることが好ましい。回動角度が４５度未満の場合には解除の誤反応のおそれがあり、回動角度が６０度を超える場合には無駄な不安定な動きとなるおそれがあるためである。
【００４５】
さらに、操作部４３から指を離すと、操作レバー４０は、反時計方向に回動し、操作部４３が枢着部４４の下方に戻る。更に弾性体４９により操作レバー４０は、操作部４３が枢着部４４の下方より柱材側へ傾いた状態となる。そして、操作レバー４０は、ロック位置の操作レバー４０の角度０度よりマイナス側へ傾いた角度で保持される。
【００４６】
そして、ロックピン２０がロック孔１ａから抜け出した状態のままで柱材１に沿ってスライドジョイント５を下降させることで、梁材２を柱材１に寄り沿う収納状態へと変位させることができる。
【００４７】
また、スライドジョイント５の下降に伴い、梁材２は関節部８での屈曲が可能となり、これにより柱材１の間隔を縮めることができる。さらに、４本の柱材１を中央側へ集めると、スライドジョイント５が各柱材１に沿って下降し、関節部８が折り畳まれるとともに、トップポールが下降する。そして、折畳み式テント２００は、棒材６，７と柱材１とが略平行に折畳まれた状態になる。
【００４８】
なお、上記動きとは逆に、柱材１に沿ってロック機構マウント部１０を相対移動させ、対応孔５ｃとロック孔１ａとの位置が合うと、弾性部材３０の付勢力により、ロックピン２０がロック位置へと自動的に変位する。この変位に伴い、操作レバー４０もロック位置の回動角度０度に戻る。
【００４９】
ロック解除装置１００によれば、支点部４２から枢着部４４までの距離が操作部４３から枢着部４４までの距離よりも短く、枢着部４４は操作部４３に加わる力と同じ方向Ｍに作用するので、ロックピン２０をロック解除位置へと変位させるロック解除操作を、比較的小さな力で容易に行うことができる。加えて、ロック解除操作と、それに続くスライドジョイント５の移動操作を、片手で簡単に行うことができる。
【００５０】
また、ロック解除装置１００によれば、ロック機構部１２にレバー回動量設定部１５が設けられ、操作レバー４０の回動角度が、ロック位置の操作レバー４０を０度とするとき４５度以上６０度以下の範囲内にあるので、操作レバー４０による解除の誤反応を防止でき、かつ、無駄な不安定な動きを防止することができる。
【００５１】
ロック解除装置１００によれば、操作レバー４０は、指を離して操作部４３への力がなくなると、操作レバー４０は操作部４３が枢着部４４の下方に自動的に戻る。このため、折畳みの際に、操作レバー４０が邪魔にならず、円滑かつ安定的に行える。また、弾性体４９を備えているので、弾性体４９の付勢力により常時操作レバー４０は柱材側へ付勢されている。このため、操作レバー４０の不要な回動を防止することができる。また、操作レバー４０は、操作部４３が柱材側へ傾いた状態となるので、操作レバー４０の傾斜角度の違いにより、利用者は、ロック位置とロック解除位置とを見分けることが容易にできる。即ち、ユーザは、ロックピン２０がロック孔１ａから抜けたロック解除位置に変位したことを容易に認識することができる。
【００５２】
さらに、ロック解除装置１００によれば、スライドジョイント５にロック機構マウント部１０が一体に設けられているので、柱材１に沿ってロック機構マウント部１０を相対移動させると、柱材１とスライドジョイント５の相対位置が変化する。
【００５３】
折畳み式テント２００によれば、ロック解除装置１００を備えているので、ロック孔１ａの位置でロックされたロックピン２０を、比較的小さな力で容易に引き抜くことができ、スライドジョイント５を相対昇降可能にロック解除することができる。
【００５４】
また、折畳み式テント２００によれば、柱材１が横断面略六角管状であるため、フレーム強度がよい。スライドジョイント５が柱材１に相対移動可能であるので、横断面略六角管状の柱材１に対してスライドジョイント５を相対移動可能とすることができる。
【００５５】
ロック解除装置１００又は折畳み式テント２００によれば、ロック機構部１２には、ロックピン２０の回転防止構造を備えているので、ロックピン２０の回転が防止され、ひいては操作レバー４０の回動を防止することができる。
【００５６】
また、ロック解除装置１００又は折畳み式テント２００によれば、操作レバー４０は、基部４１が、正面視縦長矩形状で、正面視表面の中央が左右より肉厚の平面視円弧状のなだらかな曲面を有する蒲鉾状に成されているので、操作レバー４０の欠けを防止でき、品質と状態が良く、圧力に対して強いという特性を発揮することができる。
【００５７】
また、ロック解除装置１００又は折畳み式テント２００によれば、側壁部４５が、支点部４２と枢着部４４と連設し、ロックピン２０のロック位置でロック機構マウント部１０を外嵌するので、ロック位置のとき、操作レバー４０がロック機構マウント部１０にフィットし、操作レバー４０が、左右にぐらつくことなく、安定性がよい。
【００５８】
（まとめ）
本考案の一態様に係るロック解除装置は、柱材に游挿されるスライドジョイントに設けられたロック機構マウント部と、該ロック機構マウント部に設けられ前記柱材のロック孔に突入するロック位置と前記ロック孔から抜け出るロック解除位置をとり得るロックピンと、該ロックピンを前記柱材側へ付勢する弾性部材と、前記ロックピンに回動可能に設けられる操作レバーとを備えており、前記操作レバーは、一方側に支点部が形成され、他方側に操作部が形成されており、前記支点部と前記操作部の間で前記支点部に近づけた位置に前記ロックピンを枢着する枢着部が形成され、前記支点部から前記枢着部までの距離は前記操作部から前記枢着部までの距離よりも短く、前記枢着部は前記操作部に加わる力と同じ方向に作用する構成である。
【００５９】
本考案の一態様に係るロック解除装置によれば、前記操作部に力が加わると、前記操作レバーは、前記支点部を中心として回動し、前記ロックピンが前記ロック位置と前記ロック解除位置とに変位可能となる。
【００６０】
このとき、本考案の一態様に係るロック解除装置によれば、ロックピンが枢着されている枢着点の位置から支点部までの距離が、操作部から枢着部までの距離に対して短いので、ロック解除の操作を弾性部材の付勢力に逆らう力より小さな力で容易に行うことができる。
【００６１】
また、本考案の一態様に係るロック解除装置は、前記ロック位置のときの前記操作レバーの角度を０度とすると、前記操作レバーの回動角度は、前記ロック解除位置のとき、４５度以上６０度以下の範囲内にある構成であってもよい。
【００６２】
この場合には、操作レバーによる解除の誤反応を防止でき、かつ、無駄な不安定な動きを防止することができる。
【００６３】
さらに、本考案の一態様に係るロック解除装置は、前記操作レバーは、少なくとも前記枢着部の両側から互いに突出する側壁部を備え、該側壁部は、前記ロック位置のとき、前記ロック機構マウント部を外嵌する構成であってもよい。
【００６４】
この場合には、側壁部がロック機構マウント部を外嵌するので、操作レバーのがたつきを防止できる。
【００６５】
さらにまた、本考案の一態様に係るロック解除装置は、前記ロック機構マウント部と前記操作レバーとの間に介装され前記操作部を前記柱材側へ付勢する弾性体を備えている構成であってもよい。
【００６６】
この場合には、操作部への力がなくなると、弾性体の付勢力により操作レバーが柱側に付勢されるので、折畳みの際に、操作レバーが邪魔にならず、円滑かつ安定的に行うことができる。
【００６７】
本考案の他の態様に係る折畳み式テントは、上記ロック解除装置の何れかを備えている構成である。
【００６８】
本考案の他の態様に係る折畳み式テントによれば、本考案の一態様に係るロック解除装置により、柱材とスライドジョイントの相対位置を変化させると、スライドジョイントに連結された梁部材との相対位置が変化し、テントの組立状態とテントの折畳み状態に変化させることできる。このとき、折畳み式テントによれば、本考案の一態様に係るロック解除装置を備えているので、ロック解除の操作を弾性部材の付勢力に逆らう力より小さな力で容易に行うことができる。
【００６９】
（本考案の変形例）
なお、本考案のロック解除装置、柱材及び折畳み式テントに係る構成は、上記実施形態に何ら限定されるものではなく、ロック機構マウント部、ロックピン等の形状、構造に係る構成について、本考案の趣旨を逸脱しない範囲で必要に応じて適宜変更可能である。
【００７０】
例えば、本考案に係るロック解除装置は、上記実施形態の如く、ロック機構マウント部が、スライドジョイントの下部に一体的に設けられているものに何ら限定されない。例えば、ロック機構マウント部は、スライドジョイントの上部に設けられ、実施形態とは上下逆向きに使用されてもよいし、スライドジョイントとは別体とされていてもよい。
【００７１】
また、本考案に係るロック解除装置は、上記実施形態の如く、ロックピン自体の回転防止構造としてロックピンが当たる部分に平面部を設ける構造に何ら限定されない。例えば、上記平面部を単数又は複数設けた構造であってもよいし、キー溝とキーによる構造であってもよい。
【００７２】
さらに、本考案に係るロック解除装置は、上記実施形態の如く、操作部が同じ厚みに形成されているものに何ら限定されない。例えば、操作部は、側壁部において枢着部から基部の他方端に向かって徐々に肉厚が薄くなるテーパ状に形成されていてもよい。
【００７３】
さらにまた、柱材は、外管と、内管と、カラーピンとで構成されていてもよい。カラーピンは、外管に対して内管を所定位置で固定するために用いられる。この場合には、外管に挿入する内管を伸長しながら所望の長さにカラーピンで固定する高さ調整が可能である。また、外管に内管が収納され、折畳み式テントのコンパクトな収納が可能である。
【００７４】
本考案に係る折畳み式テントは、上記実施形態の如く、４本の柱材に２本のトップポールを備える長方形屋根のタイプに限定されることなく、例えば、柱材の本数は３本でもよいし、６本でも適用可能である。また、トップポールの有無にも限定されない。
【産業上の利用可能性】
【００７５】
梁支持材が２方向に互いに９０度角度をずらして形成されているスライドジョイントに適用され得るロック解除装置、これを備える折畳み式テントであるが、梁支持材が１方向に形成されているフェンス、門塀、さらに複数方向に形成されるパラソル、三脚、その他、脚立、梯子などの用途にも適用できる。
【符号の説明】
【００７６】
１    柱材
１ａ  ロック孔
５    スライドジョイント
１０    ロック機構マウント部
２０    ロックピン
３０    弾性部材
４０    操作レバー
４２    支点部
４３    操作部
４４    枢着部
４５    側壁部
４９    弾性体
１００    ロック解除装置
２００    折畳み式テント
【図１】
0003233289.tif 000003
【図２】
0003233289.tif 000004
【図３】
0003233289.tif 000005
【図４】
0003233289.tif 000006
【図５】
0003233289.tif 000007